(57)【要約】【課題】  熱伝導および熱停滞の問題を回避する内側の日除けのための装置を提供する。【解決手段】  装置は、複数の平行な薄板（５）と操作装置とを有している。薄板（５）は、束（７）なるよう引き寄せられ、揺動のために揺動部（８）と連結されている。揺動部（８）は、第一の端部（１１）と複数の他端部（１５ａ）とを有しており、それらはそれぞれ薄板（５）と連結される。薄板（５）が引かれる際に、薄板が揺動部（８）により共通の面内に揺動される。好ましくは、薄板（５）は、それぞれ上方の実質的に水平な縁部（５ａ）に揺動可能に枢支されている。
2005530067.tif 000002
【特許請求の範囲】
【請求項１】
互いに平行に向けられた複数の薄板（５）と、その装置により薄板（５）が揺動可能である操作装置（８）と、それに薄板（５）が枢支される支持装置（２，６）とを備えた室内（３）の日除けのための装置であって、上記薄板（５）を、束（７）となるよう引き寄せることが可能で、それらの薄板が揺動のために揺動部（８）と連結されていて、それが第一の端部（１１）と複数の他端部（１５ａ）とを有しており、それらは薄板（５）が引かれる際に、揺動部（８）により共通の面内に揺動されるように薄板（５）にそれぞれ連結されていることを特徴とする日除け装置。
【請求項２】
上記薄板（５）が、それぞれ上方の実質的に水平な縁部（５ａ）に揺動可能に枢支されていることを特徴とする請求項１記載の日除け装置。
【請求項３】
上記揺動部（８）が、上述した第一の端部（１１）に固定されていることを特徴とする請求項１または２記載の日除け装置。
【請求項４】
上記薄板（５）が、引き寄せのために、それぞれ垂直面内に揺動されることを特徴とする請求項１から３のいずれか記載の日除け装置。
【請求項５】
上述した複数の他端部（１５ａ）が、それぞれ下縁部（５ｂ）に対して間隔をあけて、薄板（５）に固定されていることを特徴とする請求項１から４のいずれか記載の日除け装置。
【請求項６】
上記揺動部（８）が、薄板（５）の上縁部（５ａ）の上に導かれることを特徴とする請求項１から５のいずれか記載の日除け装置。
【請求項７】
上記薄板（５）が、それぞれその端部でレール（２）内で移動可能に案内されることを特徴とする請求項１から６のいずれか記載の日除け装置。
【請求項８】
上記薄板（５）に、スペースホルダー（９）が配置されていることを特徴とする請求項１から７のいずれか記載の日除け装置。
【請求項９】
上記揺動部（８）が、ベルトから製造されていることを特徴とする請求項１から８のいずれか記載の日除け装置。
【請求項１０】
上記ガイドレール（２）が、薄板（５，５’）の上に配置されていて、上記薄板（５，５’）が種々の長さであって、例えば台形状または三角形状の配置を構成することを特徴とする請求項１から９のいずれか記載の日除け装置。
【発明の詳細な説明】
【技術分野】
【０００１】
本発明は、互いに平行に向けられた複数の薄板と、その装置により上記薄板が揺動可能である操作装置と、それに上記薄板が枢支される保持装置と、を備えた室内の日除け装置に関する。
【背景技術】
【０００２】
現代建築は、しばしば非常に大きなガラス屋根を有している。このために、通常、外側または内側に配置可能な日除け装置が必要である。日除け装置の代わりに、反射ガラスまたはミラー化されたガラスの使用も知られている。しかしながら、このようなガラスは、常に輝度損失を生じ、これにより屋根の下の室内が、通常暗くなり過ぎる。
【０００３】
外側の日除け装置は、しばしば美的な理由から望ましくない。さらに、この装置は、天候に曝され、比較的高価なメンテナンスを必要とする。内側の日除け装置は、室内の温度調節および換気が十分行われることを条件とする。さらに、内側の日除け装置における難点は、室内への熱伝導と、屋根と装置との間の狭い空間における熱滞留である。さらに、より多量の熱の場合に、ガラスに亀裂が生じ得る。
【発明の開示】
【発明が解決しようとする課題】
【０００４】
本発明の課題は、上述した難点を回避する、上述した種類の室内の日除けのための装置を製造することである。さらに、この装置は、原則的に布地から実現可能であり、美学的により高い要求も満たすべきである。
【課題を解決するための手段】
【０００５】
この課題は、一般的な種類の装置の場合には、薄板を束にして引き寄せることが可能で、揺動のために上記薄板が揺動部と連結されており、それが第一の端部と複数の他端部を有し、それらは薄板が引かれる際に、揺動部により共通の面内に揺動されるように薄板にそれぞれ連結されていることにより解決される。
【発明の効果】
【０００６】
本発明による装置は、薄板を束にして引き寄せることが可能で、そして揺動部による薄板の揺動を可能にする。上記揺動部は、各薄板と連結されている。これにより、薄板の各揺動位置への正確なガイドそして位置決めが可能となる。上記薄板は、布地片から非常に簡単に形成可能である。本発明による装置は、特に大きいガラス屋根のために適している。
【０００７】
本発明の他の構成によれば、薄板がそれぞれ上方の実質的に水平な縁部に揺動可能に枢支されるようになっている。この場合、上記薄板は、例えば垂直な面内に揺動され得る。これは、拡散した外光の場合に光の最大透過を可能にする。より強い入射の場合には、上記薄板は、ガラス屋根の面内に揺動され得、これにより直接の日射が回避され得る。
【０００８】
本発明の他の構成によれば、上記揺動部の上述した複数の他端部が、それぞれ薄板の下縁部に固定されるようになっている。これは、薄板の特に高い安定性とガイドを可能にする。これにより、上記揺動部は、それぞれ薄板の下縁部に作用する。
【０００９】
本発明の他の構成によれば、上記揺動部は、ベルト（Ｂａｎｄｅｒｎ）から製造されている。これは、非常にコスト的に有利な製造およびかなりの重量低減を可能にする。
【００１０】
さらなる有利な特徴は、従属の請求項，以下の説明および図面から明らかになる。
【発明を実施するための最良の形態】
【００１１】
本発明の実施形態は、以下に図面を参照して、より詳細に説明される。
【００１２】
（実施形態１）
図１〜図４は、それぞれガラス屋根１３により覆われている室内３を備えた建物１４を示している。ガラス屋根は、図１〜図４において傾斜しているが、水平でもよい。
【００１３】
ガラス屋根１３の下面には、室内３の日除けのための装置１が配置されている。この装置１は、二つの平行に互いに間隔をあけて配置されたガイドレール２を有しており、その端は互いに横梁６に連結されている。レール２は、ガラス屋根１３に、あるいは建物壁にも直接に固定され得る。薄板５は、その端部でガイドレール２内を移動してガイドされる。移動は、ここには図示されない引張り装置により行なわれる。このような装置は、専門家にはそれ自体公知である。例えば、薄板５は、ボールチェーン，歯付きベルトまたはスピンドルにより移動され得る。移動は、手またはモーターにより行なわれ得る。図３において、薄板５は、束７になるように引き寄せられる。これに対して、図１，図２および図４においては、薄板５は、引かれている。
【００１４】
図１においては、薄板５は、垂直に向けられており、室内３への拡散光の最適な入射を可能にする。図２においては、薄板５は、揺動されており、太陽光の直接の入射を阻止するが、それにもかかわらず室内３への拡散光の入射を可能にする。図４においては、薄板５は、垂直に向けられており、直接の日射の場合に、室内３への光４の一部の直接の入射を許す。
【００１５】
薄板５の揺動は、図８〜図１０に示された揺動部８により行なわれる。この揺動部８は、好ましくはベルトから製造されており、一端１１が固定されている。例えば、端部（一端）１１は、横梁６の一つまたは建物壁に固定され得る。上記揺動部８は、共通のロープ（索）１２に連結されている複数のベルト１５を有している。上記ベルト１５は、それぞれ前端１５ａで、薄板５の下縁部５ｂと連結されている。図８による位置で、装置１は、完全には引かれていない。ベルト１５は、張架されておらず、薄板５はそれぞれ上縁部５ａにて揺動可能に、そして垂直に向けられている。
【００１６】
薄板５が上述した引張り装置により矢印１０の方向に移動されると、上記ベルト１５が張架される。これにより、薄板５には、それぞれ下縁部５ｂにて、右向きに牽引力が掛けられる。これにより、薄板５は、それぞれその上縁部５ａの周りに矢印１６の方向に揺動される。さらに矢印１０の方向に引っ張られると、薄板５は、最終的に図１０による位置に到達し、そこで、薄板５は実質的にガラス屋根１３に対して平行な面内に配置される。
【００１７】
端部１１の最も近くに配置された薄板５’は、明らかに、一端１５ａ’により薄板５’の上縁部に、そして他端１５ｂ’により薄板５’の下縁部に固定されているベルト１５’により揺動される。ベルト１５’は、横梁６上に配置される（巻き掛けられる）。他のベルト１５は、それぞれ隣接する薄板５の上縁部５ａ上をガイドされる。ベルト１５および１５’は、適宜の他の引張り手段、例えば紐，ロープまたはチェーンにより代替され得る。
【００１８】
図８による位置と図１０による位置との間で、無段階のすべての中間位置が可能である。図１０による位置から引き寄せる際に、薄板５は、まず図８に示される垂直の方向に揺動される。さらに移動して、最終的に、薄板５は、束７になるように引き寄せられる。隣接する薄板５の間の最大間隔が、同様にベルトからなるスペーサー９によって、決定される。
【００１９】
上記薄板５は、上述したように、手でまたはモーターにより駆動され得る。さらに、例えば室内３および／または周囲に配置されている温度センサに基づく自動制御が考えられ得る。その場合、薄板５は、それぞれ最適な位置に揺動され、あるいは束７になるように引き寄せられる。この際、図５および図７による双方の終端位置そして図６によるすべての中間位置が自動的に調整可能である。
【００２０】
上記薄板５は、好ましくは布地薄板である。しかしながら、例えば木材，プラスチックまたは金属板製の実施形態も考えられ得る。本発明に関して、この薄板５が、特に、図６および図９による中間位置においてベルト１５により保持され固定されるということが重要である。したがって、上記薄板５は、比較的長く、例えば数メートルの長さであってもよい。この場合、互いに間隔をあけて薄板５に作用する複数の揺動部８を備え付けることが可能である。装置の安定性が高いので、これは、大きな面積の場合でも、非常に僅かな重量で製造され得る。
【００２１】
図１１に示されているように、薄板５および５’は、ここに図示されている位置でそれぞれ下縁部５ｂの箇所で重なり合っている。これにより、光入射が、特に確実に回避され得る。このため、端部１５ａは、下縁部５ｂに対してわずかに間隔をあけて薄板５に固定されている。
【００２２】
（実施形態２）
図１２〜図１５は、横梁６が、薄板５を引く際に移動される変形例を示している。ここで、移動される横梁６は、図８〜図１１による実施形態における場合と異なり、建物壁１６に直接に固定されていない。しかしながら、薄板５の開閉および揺動は、上述した実施形態と原則として同じである。
【００２３】
図１６ａおよび図１６ｂは、本発明による装置の傾斜した屋根１３への配置を示している。傾斜は、通常１５度から３５度の間である。図１６ａの実施形態においては、薄板は、右から左に向かって移動される。したがって、束７は、右下に形成される。図１６ｂによる実施形態においては、束７は、左上に形成される。この場合、左右逆の配置も可能である。
【００２４】
薄板５は、図５および図６によれば、すべて同じ長さである。しかしながら、薄板５が種々の長さである実施形態も考えられ得る。その際、好ましくは、ガイドレール２が、薄板の上に配置される。このとき、薄板５は、ガイドレール２に側方から長手方向に突出する。この配置によれば、台形状および三角形状の装置も可能である。
【図面の簡単な説明】
【００２５】
【図１】薄板が垂直に向けられている、本発明による装置の概略正面図である。
【図２】薄板が揺動されている、本発明による装置の別の正面図である。
【図３】薄板が束になるように引き寄せられている、本発明による装置の別の正面図である。
【図４】直接の日射の際の本発明による装置の別の概略正面図である。
【図５】本発明による装置の立体的な概略斜視図である。
【図６】薄板が揺動されている、本発明による装置の立体的な概略斜視図である。
【図７】薄板が束になるように引き寄せられている、本発明による装置の別の立体的な概略斜視図である。
【図８】薄板が束になるように引き寄せられている、揺動部および薄板の概略正面図である。
【図９】薄板が垂直に吊下げられている、揺動部の別の概略正面図である。
【図１０】薄板が屋根面に対して傾斜されている、揺動部の別の正面図である。
【図１１】薄板が実質的に一つの面内に揺動されている、揺動部の別の正面図である。
【図１２】薄板が束になるように引き寄せられている、揺動部の変形例を示す図である。
【図１３】薄板が垂直に吊下げられている、図１２による変形例を示す図である。
【図１４】薄板が屋根面に対して傾斜されている、図１２による変形例を示す図である。
【図１５】薄板が実質的に一つの面内に揺動されている、図１２による変形例を示す図である。
【図１６ａ】薄板が下方から上方に向かって移動される、薄板の引きを示す概略図である。
【図１６ｂ】束が上方から下方に移動される、薄板の引きを示す概略図である。
【符号の説明】
【００２６】
１    装置
２    ガイドレール
３    室内
４    光
５    薄板
５ａ  上縁部
５ｂ  下縁部
６    横梁
７    束
８    揺動部
９    スペースホルダー
１０    矢印
１１    端部
１２    ロープ
１３    ガラス屋根
１４    建物
１５    ベルト
１５ａ  前端
１６    矢印
１６    建物壁
【図１】
2005530067.tif 000003
【図２】
2005530067.tif 000004
【図３】
2005530067.tif 000005
【図４】
2005530067.tif 000006
【図５】
2005530067.tif 000007
【図６】
2005530067.tif 000008
【図７】
2005530067.tif 000009
【図８】
2005530067.tif 000010
【図９】
2005530067.tif 000011
【図１０】
2005530067.tif 000012
【図１１】
2005530067.tif 000013
【図１２】
2005530067.tif 000014
【図１３】
2005530067.tif 000015
【図１４】
2005530067.tif 000016
【図１５】
2005530067.tif 000017
2005530067.tif 000018
【手続補正書】
【提出日】平成17年2月17日(2005.2.17)
【手続補正１】
【補正対象書類名】図面
【補正対象項目名】図９
【補正方法】変更
【補正の内容】
【図９】
2005530067.tif 000019
【国際調査報告】
2005530067.tif 000020
2005530067.tif 000021
2005530067.tif 000022
2005530067.tif 000023